(57)【要約】【課題】シールドコネクタ部の特性インピーダンスの均一性を良化させ、かつ電磁界シールド効果を向上させるシールドコネクタの接続方法およびシールドコネクタを提供する。【解決手段】オスコネクタおよびメスコネクタを備えたシールドコネクタの接続方法であって、オスコネクタおよびメスコネクタは、それぞれ、外皮シールド電極と、ｎ本（ｎは自然数）の内部信号線とを有し、外皮シールド電極は、筒状に屈曲された一枚の金属板材からなり、外皮シールド電極の筒状面には、金属板材の境界にあたるスリットが存在しており、オスコネクタおよびメスコネクタを、外皮シールド電極の筒状面のスリット位置が互いにずれるような向きで嵌合して接続する。【選択図】  図１
2019079721.tif 000002
【特許請求の範囲】
【請求項１】
オスコネクタおよびメスコネクタを備えたシールドコネクタの接続方法であって、
前記オスコネクタおよびメスコネクタは、それぞれ、外皮シールド電極と、ｎ本（ｎは自然数）の内部信号線とを有し、
前記外皮シールド電極は、筒状に屈曲された一枚の金属板材からなり、前記外皮シールド電極の筒状面には、前記金属板材の境界にあたるスリットが存在しており、
前記オスコネクタおよびメスコネクタを、前記外皮シールド電極の筒状面のスリット位置が互いにずれるような向きで嵌合させて接続する
ことを特徴とするシールドコネクタの接続方法。
【請求項２】
前記オスコネクタおよびメスコネクタは、前記内部信号線が１本の同軸コネクタである、
ことを特徴とする請求項１に記載のシールドコネクタの接続方法。
【請求項３】
前記オスコネクタおよびメスコネクタを、嵌合後の前記外皮シールド電極の筒状面のスリット位置が、９０°、１８０°、２７０°のうちのいずれかの相対角度でずれるように嵌合させて接続する
ことを特徴とする請求項１または２に記載のシールドコネクタの接続方法。
【請求項４】
前記オスコネクタおよびメスコネクタのうちの一方のコネクタには、コネクタ挿入軸線方向に対して直角に延びるシールドケーブルが実装されており、
前記一方のコネクタの前記外皮シールド電極の筒状面のスリット位置と前記シールドケーブルが延びる方向とは、０°、９０°、１８０°、２７０°のうちのいずれかの相対角度関係にあり、
前記オスコネクタおよびメスコネクタを、嵌合後の前記外皮シールド電極の筒状面のスリット位置が、４５°、１３５°、２２５°、３１５°のうちのいずれかの相対角度でずれるように嵌合させて接続する
ことを特徴とする請求項１または２に記載のシールドコネクタの接続方法。
【請求項５】
オスコネクタおよびメスコネクタを備え、
前記オスコネクタおよびメスコネクタは、それぞれ、外皮シールド電極と、ｎ本（ｎは自然数）の内部信号線とを有し、
前記外皮シールド電極は、筒状に屈曲された一枚の金属板材からなり、前記外皮シールド電極の筒状面には、前記金属板材の境界にあたるスリットが存在しており、
前記オスコネクタおよびメスコネクタは、前記外皮シールド電極の筒状面のスリット位置が互いにずれるような向きで嵌合されて接続可能である
ことを特徴とするシールドコネクタ。
【請求項６】
前記オスコネクタおよびメスコネクタは、前記内部信号線が１本の同軸コネクタである、
ことを特徴とする請求項５に記載のシールドコネクタ。
【請求項７】
前記オスコネクタおよびメスコネクタは、嵌合後の前記外皮シールド電極の筒状面のスリット位置が、９０°、１８０°、２７０°のうちのいずれかの相対角度でずれるような向きで嵌合されて接続可能である
ことを特徴とする請求項５または６に記載のシールドコネクタ。
【請求項８】
前記オスコネクタおよびメスコネクタのうちの一方のコネクタには、コネクタ挿入軸線方向に対して直角に延びるシールドケーブルが実装されており、
前記一方のコネクタの前記外皮シールド電極の筒状面のスリット位置と前記シールドケーブルが延びる方向とは、０°、９０°、１８０°、２７０°のうちのいずれかの相対角度関係にあり、
前記オスコネクタおよびメスコネクタは、嵌合後の前記外皮シールド電極の筒状面のスリット位置が、４５°、１３５°、２２５°、３１５°のうちの第１の相対角度でずれるような向きで嵌合されて接続可能であるとともに、４５°、１３５°、２２５°、３１５°のうちの第２の相対角度でずれるような向きでも嵌合されて接続可能である
ことを特徴とする請求項５または６に記載のシールドコネクタ。
【発明の詳細な説明】
【技術分野】
【０００１】
本発明は、シールドコネクタの接続方法およびシールドコネクタに関する。
【背景技術】
【０００２】
近年、自動車業界において、自動運転を実現するためのセンシング技術の開発が活況を呈している。代表的な画像情報入力装置であるカメラは、小型であり、かつ、車両への実装に際して他の電子機器やアンテナ機器との設置距離および方向を意識せずに、車両デザインを重視した自由な配置で取り付けできることが望まれている。
【０００３】
カメラ画像信号の伝送方式としては、これまでのアナログビデオ信号出力方式から、高精細画像情報を安定して出力できる高速シリアルデジタル信号出力方式へ移行中であり、カメラ応用システムにおいては、高速デジタルデータの伝送に伴う高周波領域での低ノイズ・耐ノイズ設計が重要になってきている。
【０００４】
特許文献１には、一枚の金属板材を屈曲して概ね筒状に形成したシールド電極を有するシールドコネクタが開示されている。
【先行技術文献】
【特許文献】
【０００５】
【特許文献１】特開２００５−０２６０２１号公報
【発明の概要】
【発明が解決しようとする課題】
【０００６】
特許文献１は、シールドコネクタを構成する部材を実際の工程で組み立てる際の作業が非効率であるという課題に鑑みてなされたものであって、組付の作業性を改善することが可能なシールドコネクタの提供を目的としており、シールドコネクタ単体の内部部材の接続方法の開示にとどまっている。
【０００７】
高速デジタルデータを伝送するカメラにおいて、低ノイズ・耐ノイズ性能を実現する理想的なシールド効果を得るためには、シールドコネクタ単体の内部部材の接続方法にとどまらず、コネクタ間の実際の接続を想定したうえで、さらに踏み込んだシールド電極を有するコネクタの接触構造・配置・形状に対する創意工夫が必要とされる。
【０００８】
本発明は、このような事情に鑑みてなされたものである。本発明の目的は、シールドコネクタ部の特性インピーダンスの均一性を良化させ、かつ電磁界シールド効果を向上させるシールドコネクタの接続方法およびシールドコネクタを提供することにある。
【課題を解決するための手段】
【０００９】
本発明の一側面に係るシールドコネクタの接続方法は、
オスコネクタおよびメスコネクタを備えたシールドコネクタの接続方法であって、
前記オスコネクタおよびメスコネクタは、それぞれ、外皮シールド電極と、ｎ本（ｎは自然数）の内部信号線とを有し、
前記外皮シールド電極は、筒状に屈曲された一枚の金属板材からなり、前記外皮シールド電極の筒状面には、前記金属板材の境界にあたるスリットが存在しており、
前記オスコネクタおよびメスコネクタを、前記外皮シールド電極の筒状面のスリット位置が互いにずれるような向きで嵌合させて接続する。
【発明の効果】
【００１０】
本発明によれば、シールドコネクタ部の特性インピーダンスの均一性を良化させ、かつ電磁界シールド効果を向上させることができる。
【図面の簡単な説明】
【００１１】
【図１】一実施の形態に係るシールドコネクタの斜視図である。
【図２Ａ】図１に示すシールドコネクタのメスコネクタを拡大して示す斜視図である。
【図２Ｂ】図２Ａに示すメスコネクタを正面から見た図である。
【図３Ａ】図１に示すシールドコネクタのオスコネクタを拡大して示す斜視図である。
【図３Ｂ】図３Ａに示すオスコネクタを正面から見た図である。
【図４Ａ】スリットが１８０°ずれた向きで嵌合した状態の一実施例に係るシールドコネクタを説明するための図である。
【図４Ｂ】スリットが９０°ずれた向きで嵌合した状態の一実施例に係るシールドコネクタを説明するための図である。
【図４Ｃ】スリットが２７０°ずれた向きで嵌合した状態の一実施例に係るシールドコネクタを説明するための図である。
【図４Ｄ】スリットが４５°ずれた向きで嵌合した状態の一実施例に係るシールドコネクタを説明するための図である。
【図４Ｅ】スリットが１３５°ずれた向きで嵌合した状態の一実施例に係るシールドコネクタを説明するための図である。
【図４Ｆ】スリットが２２５°ずれた向きで嵌合した状態の一実施例に係るシールドコネクタを説明するための図である。
【図４Ｇ】スリットが３１５°ずれた向きで嵌合した状態の一実施例に係るシールドコネクタを説明するための図である。
【図５】スリットが重なる向きで嵌合した状態の比較例に係るシールドコネクタを説明するための図である。
【図６Ａ】スリットが重なる向きで嵌合した状態の比較例に係るシールドコネクタ近傍で測定された磁界スペクトラムを示すグラフである。
【図６Ｂ】スリットが重なる向きで嵌合した状態の比較例に係るシールドコネクタ近傍で測定された電界スペクトラムを示すグラフである。
【図７Ａ】スリットが１８０°ずれた向きで嵌合した状態の一実施例に係るシールドコネクタ近傍で測定された磁界スペクトラムを示すグラフである。
【図７Ｂ】スリットが１８０°ずれた向きで嵌合した状態の一実施例に係るシールドコネクタ近傍で測定された電界スペクトラムを示すグラフである。
【図８Ａ】スリットが９０°ずれた向きで嵌合した状態の一実施例に係るシールドコネクタ近傍で測定された磁界スペクトラムを示すグラフである。
【図８Ｂ】スリットが９０°ずれた向きで嵌合した状態の一実施例に係るシールドコネクタ近傍で測定された電界スペクトラムを示すグラフである。
【図９】一実施の形態の一変形に係るシールドコネクタのメスコネクタを正面から見た図である。
【図１０Ａ】図９に示すメスコネクタに嵌合するオスコネクタの向きの一例を説明するための図である。
【図１０Ｂ】図９に示すメスコネクタに嵌合するオスコネクタの向きの一例を説明するための図である。
【図１０Ｃ】図９に示すメスコネクタに嵌合するオスコネクタの向きの一例を説明するための図である。
【図１０Ｄ】図９に示すメスコネクタに嵌合するオスコネクタの向きの一例を説明するための図である。
【発明を実施するための形態】
【００１２】
実施形態の第１の態様に係るシールドコネクタの接続方法は、
オスコネクタおよびメスコネクタを備えたシールドコネクタの接続方法であって、
前記オスコネクタおよびメスコネクタは、それぞれ、外皮シールド電極と、ｎ本（ｎは自然数）の内部信号線とを有し、
前記外皮シールド電極は、筒状に屈曲された一枚の金属板材からなり、前記外皮シールド電極の筒状面には、前記金属板材の境界にあたるスリットが存在しており、
前記オスコネクタおよびメスコネクタを、前記外皮シールド電極の筒状面のスリット位置が互いにずれるような向きで嵌合させて接続する。
【００１３】
このような態様によれば、外皮シールド電極が筒状に屈曲された一枚の金属板材からなるためにその筒状面にスリットが存在している場合であっても、オスコネクタとメスコネクタとが嵌合した状態では、オスコネクタの外皮シールド電極の筒状面のスリットがメスコネクタの外皮シールド電極によりカバーされるとともに、メスコネクタの外皮シールド電極の筒状面のスリットがオスコネクタの外皮シールド電極によりカバーされる。これにより、シールドコネクタ部の特性インピーダンスの均一性が良化されるとともに、電磁界シールド効果を向上させることができる。
【００１４】
実施形態の第２の態様に係るシールドコネクタの接続方法は、第１の態様に係るシールドコネクタの接続方法であって、
前記オスコネクタおよびメスコネクタは、前記内部信号線が１本の同軸コネクタである。
【００１５】
実施形態の第３の態様に係るシールドコネクタの接続方法は、第１または２の態様に係るシールドコネクタの接続方法であって、
前記オスコネクタおよびメスコネクタを、嵌合後の前記外皮シールド電極の筒状面のスリット位置が、９０°、１８０°、２７０°のうちのいずれかの相対角度でずれるように嵌合させて接続する。
【００１６】
実施形態の第４の態様に係るシールドコネクタの接続方法は、第１または２の態様に係るシールドコネクタの接続方法であって、
前記オスコネクタおよびメスコネクタのうちの一方のコネクタには、コネクタ挿入軸線方向に対して直角に延びるシールドケーブルが実装されており、
前記一方のコネクタの外皮シールド電極の筒状面のスリット位置と前記シールドケーブルが延びる方向とは、０°、９０°、１８０°、２７０°のうちのいずれかの相対角度関係にあり、
前記オスコネクタおよびメスコネクタを、嵌合後の前記外皮シールド電極の筒状面のスリット位置が、４５°、１３５°、２２５°、３１５°のうちのいずれかの相対角度でずれるように嵌合させて接続する。
【００１７】
実施形態の第５の態様に係るシールドコネクタは、
オスコネクタおよびメスコネクタを備え、
前記オスコネクタおよびメスコネクタは、それぞれ、外皮シールド電極と、ｎ本（ｎは自然数）の内部信号線とを有し、
前記外皮シールド電極は、筒状に屈曲された一枚の金属板材からなり、前記外皮シールド電極の筒状面には、前記金属板材の境界にあたるスリットが存在しており、
前記オスコネクタおよびメスコネクタは、前記外皮シールド電極の筒状面のスリット位置が互いにずれるような向きで嵌合されて接続可能である。
【００１８】
実施形態の第６の態様に係るシールドコネクタは、第５の態様に係るシードコネクタであって、
前記オスコネクタおよびメスコネクタは、前記内部信号線が１本の同軸コネクタである。
【００１９】
実施形態の第７の態様に係るシールドコネクタは、第５または６の態様に係るシールドコネクタであって、
前記オスコネクタおよびメスコネクタは、嵌合後の前記外皮シールド電極の筒状面のスリット位置が、９０°、１８０°、２７０°のうちのいずれかの相対角度でずれるような向きで嵌合されて接続可能である。
【００２０】
実施形態の第８の態様に係るシールドコネクタは、第５または６の態様に係るシールドコネクタであって、
前記オスコネクタおよびメスコネクタのうちの一方のコネクタには、コネクタ挿入軸線方向に対して直角に延びるシールドケーブルが実装されており、
前記スリット位置と前記シールドケーブルが延びる方向とは、０°、９０°、１８０°、２７０°のうちのいずれかの相対角度関係にあり、
前記オスコネクタおよびメスコネクタは、嵌合後の前記外皮シールド電極の筒状面のスリット位置が、４５°、１３５°、２２５°、３１５°のうちの第１の相対角度でずれるような向きで嵌合されて接続可能であるとともに、４５°、１３５°、２２５°、３１５°のうちの第２の相対角度でずれるような向きでも嵌合されて接続可能である。
【００２１】
以下に、添付の図面を参照して、実施の形態の具体例を詳細に説明する。なお、各図において同等の機能を有する構成要素には同一の符号を付し、同一符号の構成要素の詳しい説明は繰り返さない。
【００２２】
図１は、一実施の形態に係るシールドコネクタ３０の斜視図である。
【００２３】
図１に示すように、シールドコネクタ３０は、メスコネクタ１０と、メスコネクタ１０に嵌合可能なオスコネクタ２０とを有している。図１における白抜き両矢印は、コネクタ挿入軸線方向を示している。
【００２４】
図２Ａは、メスコネクタ１０を拡大して示す斜視図である。図２Ｂは、メスコネクタ１０を正面から見た図である。
【００２５】
図２Ａおよび図２Ｂに示すように、メスコネクタ１０は、同軸コネクタであり、１本の内部信号線１２と、筒形状を有し、内部信号線１２と同軸状に配置された外皮シールド電極１１とを有している。
【００２６】
外皮シールド電極１１は、筒状に屈曲された一枚の金属板材から構成されている。外皮シールド電極１１の筒状面には、金属板材の屈曲方向の両端部の境界にあたるスリット１１ｓが存在している。
【００２７】
図示された例では、外皮シールド電極１１を構成する金属板材の屈曲方向の一端部には、先端側ほど幅広な凸部が形成されており、他端部には、一端側の凸部に対応するように、先端側ほど幅狭な凹部が形成されている。そして、この金属板材が筒状に屈曲されて外皮シールド電極１１が形成される際に、金属板材の一端部の凸部と他端部の凹部とが噛み合わされて係合されるようになっている。
【００２８】
図２Ａおよび図２Ｂに示すように、内部信号線１２と外皮シールド電極１１との間には、筒状の絶縁体１３が同軸状に配置されている。絶縁体１３の外径は、後述するオスコネクタ２０の外皮シールド電極２１の内径と略等しくなっている。内部信号線１２は、後述するオスコネクタ２０の内部信号線２２が挿入可能な細筒形状を有しており、絶縁体１３の内周面に固定されて支持されている。
【００２９】
外皮シールド電極１１の外側には、直方体形状を有する絶縁ハウジング１４が配置されている。外皮シールド電極１１は、絶縁ハウジング１４の内側に収容されて保持されている。
【００３０】
図３Ａは、オスコネクタ２０を拡大して示す斜視図である。図３Ｂは、オスコネクタ１０を正面から見た図である。なお、図３Ａおよび図３Ｂにおいては、スリット２１ｓを視認しやすいように、図１に示すオスコネクタ２０を上下に１８０°回転させた状態で示されている。
【００３１】
図３Ａおよび図３Ｂに示すように、オスコネクタ２０は、同軸コネクタであり、１本の内部信号線２２と、筒形状を有し、内部信号線２２と同軸状に配置された外皮シールド電極２１とを有している。
【００３２】
外皮シールド電極２１は、メスコネクタ１０の外皮シールド電極１１と同様に、筒状に屈曲された一枚の金属板材から構成されている。外皮シールド電極２１の筒状面には、金属板材の屈曲方向の両端部の境界にあたるスリット２１ｓが存在している。
【００３３】
図示された例では、外皮シールド電極２１を構成する金属板材の屈曲方向の一端部には、先端側ほど幅広な凸部が形成されており、他端部には、一端側の凸部に対応するように、先端側ほど幅狭な凹部が形成されている。そして、この金属板材が筒状に屈曲されて外皮シールド電極２１が形成される際に、金属板材の一端部の凸部と他端部の凹部とが噛み合わされて係合されるようになっている。
【００３４】
図３Ａおよび図３Ｂに示すように、内部信号線２２は、メスコネクタ１０の内部信号線１２に挿入可能な針形状を有している。外皮シールド電極２１の内径は、メスコネクタ１０の絶縁体１３の外形と略等しくなっており、外皮シールド電極２１の外形は、メスコネクタ１０の外皮シールド電極１１の内径と略等しくなっている。
【００３５】
内部信号線１２と外皮シールド電極２１とは、一端側において絶縁ハウジング２４に片持ち支持されている。
【００３６】
図３Ａおよび図３Ｂに示すように、オスコネクタ２０には、コネクタ挿入軸線方向に対して直角に延びるシールドケーブル２５が実装されている。シールドケーブル２５の信号線は、絶縁ハウジング２４の内部にて、内部信号線２２に電気的に接続されており、シールドケーブル２５の遮蔽導体は、絶縁ハウジング２４の内部にて、外皮シールド電極２１に電気的に接続されている。
【００３７】
図示された例では、シールドケーブル２５は、外皮シールド電極２１のスリット２１ｓの向き（図３Ｂにおける右向き）を基準にして、反時計回りに９０°の向き（図３Ｂにおける上向き）で延ばされている。
【００３８】
図４Ａは、メスコネクタ１０とオスコネクタ２０とが嵌合された状態のシールドコネクタ３０を示している。図４Ａにおいて、絶縁ハウジング１４、２４およびシールドケーブル２５の図示は省略されている。
【００３９】
図４Ａに示すように、メスコネクタ１０およびオスコネクタ２０は、外皮シールド電極１１、２１の筒状面のスリット１１ｓ、２１ｓの位置が互いにずれるような向きで嵌合されて接続可能となっている。
【００４０】
図４Ａに示す例では、メスコネクタ１０およびオスコネクタ２０は、嵌合後の外皮シールド電極１１、２１の筒状面のスリット１１ｓ、２１ｓの位置が、１８０°の相対角度でずれるような向きで嵌合されて接続可能となっている。
【００４１】
メスコネクタ１０およびオスコネクタ２０が、嵌合後のスリット１１ｓ、２１ｓの位置が互いにずれるような向きで嵌合されて接続されることにより、オスコネクタ２０の外皮シールド電極２１の筒状面のスリット２１ｓがメスコネクタ１０の外皮シールド電極１１によりカバーされるとともに、メスコネクタ１０の外皮シールド電極１１の筒状面のスリット１１ｓがオスコネクタ２０の外皮シールド電極２１によりカバーされる。これにより、内部信号線１２、２２の外側は、３６０°全周で外皮シールド電極１１、２１により覆われていることになり、シールドコネクタ３０部の特性インピーダンスの均一性を良化することができる。
【００４２】
なお、嵌合後の外皮シールド電極１１、２１の筒状面のスリット１１ｓ、２１ｓの位置の相対角度は、図４Ａに示すような１８０°に限定されず、たとえば、メスコネクタ１０の外皮シールド電極１１のスリット１１ｓの向き（紙面右向き）を基準にして、反時計回りに、９０°であってもよいし（図４Ｂ参照）、２７０°であってもよいし（図４Ｃ参照）、４５°であってもよいし（図４Ｄ参照）、１３５°であってもよいし（図４Ｅ参照）、２２５°であってもよいし（図４Ｆ参照）、３１５°であってもよい（図４Ｇ）。
【００４３】
以下、実施例を用いて上述した実施の形態をより詳細に説明するが、本実施の形態は以下の実施例に限定されるものではない。
【００４４】
まず、第１実施例として、図４Ａに示すように、メスコネクタ１０およびオスコネクタ２０を、嵌合後の外皮シールド電極１１、２１の筒状面のスリット１１ｓ、２１ｓの位置が、１８０°の相対角度でずれるような向きで嵌合させて接続した。
【００４５】
そして、嵌合後のシールドコネクタ３０近傍における電磁界スペクトラムをスペクトラムアナライザにより測定した。図７Ａは、磁界スペクトラムの測定結果を示すグラフであり、図７Ｂは、電界スペクトラムの測定結果を示すグラフである。図７Ａおよび図７Ｂにおいて、「ＡＶ」は、平均値検波のグラフであり、「ＰＫ」は、劣頭値検波のグラフである。
【００４６】
また、第２実施例として、図４Ｂに示すように、メスコネクタ１０およびオスコネクタ２０を、嵌合後の外皮シールド電極１１、２１の筒状面のスリット１１ｓ、２１ｓの位置が、メスコネクタ１０の外皮シールド電極１１のスリット１１ｓの向きを基準にして、９０°の相対角度でずれるような向きで嵌合させて接続した。
【００４７】
そして、嵌合後のシールドコネクタ３０近傍における電磁界スペクトラムをスペクトラムアナライザにより測定した。図８Ａは、磁界スペクトラムの測定結果を示すグラフであり、図８Ｂは、電界スペクトラムの測定結果を示すグラフである。図８Ａおよび図８Ｂにおいて、「ＡＶ」は、平均値検波のグラフであり、「ＰＫ」は、劣頭値検波のグラフである。
【００４８】
また、比較例として、図５に示すように、メスコネクタ１０およびオスコネクタ２０を、嵌合後の外皮シールド電極１１、２１の筒状面のスリット１１ｓ、２１ｓの位置が重なるような向きで嵌合させて接続した。
【００４９】
そして、嵌合後のシールドコネクタ３０近傍における電磁界スペクトラムをスペクトラムアナライザにより測定した。図６Ａは、磁界スペクトラムの測定結果を示すグラフであり、図６Ｂは、電界スペクトラムの測定結果を示すグラフである。図６Ａおよび図６Ｂにおいて、「ＡＶ」は、平均値検波のグラフであり、「ＰＫ」は、劣頭値検波のグラフである。
【００５０】
第１実施例における磁界スペクトラムの測定結果（図７Ａ）を、比較例における磁界スペクトラムの測定結果（図６Ａ）と比較すると、第１実施例では、約２００ＭＨｚ〜５００ＭＨｚの周波数領域におけるイズレベルが１ｄＢ〜２ｄＢ低減していることが分かる。
【００５１】
また、第１実施例における電界スペクトラムの測定結果（図７Ｂ）を、比較例における磁界スペクトラムの測定結果（図６Ｂ）と比較すると、第１実施例では、約３００ＭＨｚ〜１０００ＭＨｚの周波数領域におけるイズレベルが１ｄＢ〜３ｄＢ低減していることが分かる。
【００５２】
同様に、第２実施例における磁界スペクトラムの測定結果（図８Ａ）を、比較例における磁界スペクトラムの測定結果（図６Ａ）と比較すると、第２実施例では、約２００ＭＨｚ〜９００ＭＨｚの周波数領域におけるイズレベルが１ｄＢ〜３ｄＢ低減していることが分かる。
【００５３】
また、第２実施例における電界スペクトラムの測定結果（図８Ｂ）を、比較例における磁界スペクトラムの測定結果（図６Ｂ）と比較すると、第２実施例では、約３００ＭＨｚ〜１０００ＭＨｚの周波数領域におけるイズレベルが１ｄＢ〜３ｄＢ低減していることが分かる。
【００５４】
以上のように、本実施の形態によれば、外皮シールド電極１１、２１が筒状に屈曲された一枚の金属板材からなるためにその筒状面にスリット１１ｓ、２２ｓが存在している場合であっても、メスコネクタ１０とオスコネクタ２０とは、スリット１１ｓ、２１ｓの位置が互いにずれるような向きで嵌合されて接続される。これにより、メスコネクタ１０とオスコネクタ２０とが嵌合した状態では、オスコネクタ２０の外皮シールド電極２１の筒状面のスリット２１ｓがメスコネクタ１０の外皮シールド電極１１によりカバーされるとともに、メスコネクタ１０の外皮シールド電極１１の筒状面のスリット１１ｓがオスコネクタ２０の外皮シールド電極２１によりカバーされる。したがって、シールドコネクタ３０部の特性インピーダンスの均一性が良化される。また、本件発明者らの実際の検証によれば、このような態様により、電磁界シールド効果を向上させることができることが確認された。
【００５５】
なお、上述した実施の形態では、図３Ａおよび図３Ｂに示すように、シールドケーブル２５が外皮シールド電極２１のスリット２１ｓの向き（図３Ｂにおける右向き）を基準にして、反時計回りに９０°の向き（図３Ｂにおける上向き）に延ばされていたが、これに限定されず、たとえば、反時計回りに１８０°または２７０°の向きに延ばされていてもよい。
【００５６】
また、上述した実施の形態では、図３Ａおよび図３Ｂに示すように、オスコネクタ２０にシールドケーブル２５が実装されていたが、これに限定されず、メスコネクタ１０にシールドケーブルが実装されていてもよいし、メスコネクタ１０およびオスコネクタ２０の両方にシールドケーブルが実装されていてもよい。
【００５７】
また、上述した実施の形態では、メスコネクタ１０およびオスコネクタ２０が、１本の内部信号線１２、２２を有する同軸コネクタであったが、これに限定されず、メスコネクタ１０およびオスコネクタ２０は、それぞれ、２本以上の内部信号線を有していてもよい。
【００５８】
なお、上述の実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００５９】
図９は、一実施の形態の一変形に係るシールドコネクタのメスコネクタ１０’を正面から見た図である。
【００６０】
図９に示す例では、メスコネクタ１０’の外皮シールド電極１１の筒状面のスリット１１ｓ’が、絶縁ハウジング１４の側面に対して４５°の向きで配置されている。
【００６１】
このようなメスコネクタ１０’に対して、オスコネクタ２０は、嵌合後の外皮シールド電極１１、２１の筒状面のスリット１１ｓ、２１ｓの位置が、４５°、１３５°、２２５°、３１５°のうちの第１の相対角度でずれるような向きで嵌合されて接続可能であるとともに、４５°、１３５°、２２５°、３１５°のうちの第２の相対角度でずれるような向きでも嵌合されて接続可能となっている。
【００６２】
すなわち、図９に示すようなメスコネクタ１０’に対して、オスコネクタ２０は、ケーブル上出し（図１０Ａ参照）、ケーブル右出し（図１０Ｂ参照）、ケーブル下出し（図１０Ｃ参照）、ケーブル左出し（図１０Ｄ参照）の４種類の向きのうちの２種類以上の向きで嵌合されて接続可能となっている。
【００６３】
このような態様によっても、メスコネクタ１０とオスコネクタ２０とは、スリット１１ｓ、２１ｓの位置が互いにずれるような向きで嵌合されて接続されるため、オスコネクタ２０の外皮シールド電極２１の筒状面のスリット２１ｓがメスコネクタ１０の外皮シールド電極１１によりカバーされるとともに、メスコネクタ１０の外皮シールド電極１１の筒状面のスリット１１ｓがオスコネクタ２０の外皮シールド電極２１によりカバーされる。これにより、シールドコネクタ３０部の特性インピーダンスの均一性が良化されるとともに、電磁界シールド効果を向上させることができる。
【００６４】
なお、上述した実施の形態および個々の変形例の記載ならびに図面の開示は、特許請求の範囲に記載された発明を説明するための一例に過ぎず、上述した実施の形態および個々の変形例の記載または図面の開示によって特許請求の範囲に記載された発明が限定されることはない。上述した実施の形態および個々の変形例の構成要素は、発明の主旨を逸脱しない範囲で任意に組み合わせることが可能である。
【００６５】
上述した実施の形態の説明で用いられた図面では、絶縁ハウジングの外観を直方体としてその内部構造形態が示されているが、上述した実施の形態に限定されるものではなく、適宜、変形、改良等が可能である。一般的には絶縁ハウジング外形は直方体構造が多いが、本発明の技術ポイントは外形に依存しない。その他、上述した実施形態における各構成要素の材質、形状、寸法、数、配置箇所などは、本発明を達成できるものであれば任意であり、限定されない。
【符号の説明】
【００６６】
１０    メスコネクタ
１１    外皮シールド電極
１１ｓ  スリット
１２    内部信号線
１３    絶縁体
１４    絶縁ハウジング
２０    オスコネクタ
２１    外皮シールド電極
２１ｓ  スリット
２２    内部信号線
２４    絶縁ハウジング
２５    シールドケーブル
３０    シールドコネクタ
【図１】
2019079721.tif 000003
【図２Ａ】
2019079721.tif 000004
【図２Ｂ】
2019079721.tif 000005
【図３Ａ】
2019079721.tif 000006
【図３Ｂ】
2019079721.tif 000007
【図４Ａ】
2019079721.tif 000008
【図４Ｂ】
2019079721.tif 000009
【図４Ｃ】
2019079721.tif 000010
【図４Ｄ】
2019079721.tif 000011
【図４Ｅ】
2019079721.tif 000012
【図４Ｆ】
2019079721.tif 000013
【図４Ｇ】
2019079721.tif 000014
【図５】
2019079721.tif 000015
【図６Ａ】
2019079721.tif 000016
【図６Ｂ】
2019079721.tif 000017
【図７Ａ】
2019079721.tif 000018
【図７Ｂ】
2019079721.tif 000019
【図８Ａ】
2019079721.tif 000020
【図８Ｂ】
2019079721.tif 000021
【図９】
2019079721.tif 000022
【図１０Ａ】
2019079721.tif 000023
【図１０Ｂ】
2019079721.tif 000024
【図１０Ｃ】
2019079721.tif 000025
【図１０Ｄ】
2019079721.tif 000026